(57)【要約】【課題】  カセットに用紙が収納される際に、用紙が正しく収納されているか否かを通知する。【解決手段】  ＭＦＰは、原稿を読み取って、画像を出力する原稿読取部と、画像を用紙に形成する画像形成部と、給紙カセットに収納された用紙を画像形成部に供給する給紙部と、原稿読取部が給紙カセットに収納される用紙を読取って出力する用紙画像からテスト画像を生成するテスト画像生成部５５と、給紙カセットの開閉を検出する開閉検出部６１と、開閉検出部６１がカセットの開閉を検出することに応じて、カセットに収納された用紙にテスト画像を画像形成部に形成させるテストプリント実行部６５と、を備える。【選択図】        図３
2012003199.tif 000002
【特許請求の範囲】
【請求項１】
原稿を読み取って、画像を出力する原稿読取手段と、
画像を用紙に形成する画像形成手段と、
カセットに収納された用紙を前記画像形成手段に供給する給紙手段と、
前記原稿読取手段が前記カセットに収納される用紙を読み取って出力する用紙画像からテスト画像を生成するテスト画像生成手段と、
前記カセットの開閉を検出する検出手段と、
前記検出手段が前記カセットの開閉を検出することに応じて、前記カセットに収納された用紙に前記テスト画像を前記画像形成手段に形成させるテストプリント実行手段と、を備えた画像形成装置。
【請求項２】
前記テスト画像生成手段は、前記用紙画像に含まれる文字または／および線画を抽出する文字線画抽出手段を含み、
前記テスト画像生成手段は、前記抽出された文字または／および線画と同一の文字または／および線画を前記用紙画像における位置と同一の位置に配置したテスト画像を生成する、請求項１に記載の画像形成装置。
【請求項３】
前記画像形成手段は、フルカラーの画像を形成可能であり、
前記テスト画像生成手段は、前記用紙画像に含まれる文字または／および線画の色を検出する色検出手段をさらに含み、
前記テスト画像生成手段は、前記抽出された文字または／および線画を、前記検出された色を付して配置する、請求項２に記載の画像形成装置。
【請求項４】
前記画像形成手段は、フルカラーの画像を形成可能であり、
前記テスト画像生成手段は、前記用紙画像の下地の色を検出する下地色検出手段を含み、
前記テスト画像生成手段は、予め定められた印字用画像を前記検出された色を付して配置したテスト画像を生成する、請求項１〜３のいずれかに記載の画像形成装置。
【請求項５】
前記印字用画像は１つの方向を有し、
前記テスト画像生成手段は、前記印字用画像を、該印字用画像が有する方向と前記用紙画像の方向とを同じにして前記テスト画像に配置する、請求項４に記載の画像形成装置。
【請求項６】
前記カセットは、複数あり、
前記テスト画像生成手段は、前記複数のカセットのうちユーザにより指定されたものと前記生成されたテスト画像とを関連付ける関連付手段をさらに含む、請求項１〜４のいずれかに記載の画像形成装置。
【請求項７】
ユーザの操作を受け付ける操作受付手段と、
プリントデータを受信するプリントデータ受信手段と、
前記カセットに収納されている用紙の有無を検出する残量検出手段と、をさらに備え、
前記画像形成手段は、前記残量検出手段により用紙無しが検出されると、前記受信されたプリントデータの画像形成を中断し、前記操作受付手段により所定の操作が受け付けられることを条件に、中断したプリントデータの画像形成を再開する、請求項１〜５のいずれかに記載の画像形成装置。
【請求項８】
原稿を読み取って、画像を出力する原稿読取手段と、
画像を用紙に形成する画像形成手段と、
カセットに収納された用紙を前記画像形成手段に供給する給紙手段と、を備えた画像形成装置で実行される画像形成方法であって、
前記原稿読取手段が前記カセットに収納される用紙を読み取って出力する用紙画像からテスト画像を生成するステップと、
前記カセットの開閉を検出する検出手段と、
前記検出手段が前記カセットの開閉を検出することに応じて、前記カセットに収納された用紙に前記テスト画像を前記画像形成手段に形成させるステップと、を含む画像形成方法。
【請求項９】
原稿を読み取って、画像を出力する原稿読取手段と、
画像を用紙に形成する画像形成手段と、
カセットに収納された用紙を前記画像形成手段に供給する給紙手段と、
を備えた画像形成装置を制御するコンピュータで実行される画像形成プログラムであって、
前記原稿読取手段が前記カセットに収納される用紙を読み取って出力する用紙画像からテスト画像を生成するステップと、
前記カセットの開閉を検出する検出手段と、
前記検出手段が前記カセットの開閉を検出することに応じて、前記カセットに収納された用紙に前記テスト画像を前記画像形成手段に形成させるステップと、を前記コンピュータに実行させる画像形成プログラム。
【発明の詳細な説明】
【技術分野】
【０００１】
この発明は、画像形成装置、画像形成方法および画像形成プログラムに関し、特に予め文字または線画が記録された用紙を画像形成する画像形成装置、画像形成方法および画像形成プログラムに関する。
【背景技術】
【０００２】
伝票等、予め文字または線画が記録された用紙に画像を形成する際に、収納する用紙とは異なる用紙を収納したり、用紙の表裏または方向を誤って収納したりすると、用紙に正しく画像を形成することができない。この用紙の収納のミスを防止するための画像形成装置が特開平６−１５６８０４号公報に記載されている。この画像形成装置は、収納した記録紙を給紙する記録紙給紙手段と、該記録紙上に画像を形成する作像部と、該記録紙給紙手段と該作像部との間の搬送経路上に位置し搬送されている記録紙の種類を判定するためのデータを収集する記録紙種類検知手段と、該記録紙種類検知手段が検知した記録紙の種類に関するデータを記憶する記録紙種類記憶手段と、該記録紙種類記憶手段内のデータに基づいて該作像部の動作を実行或は禁止するよう制御を行う制御部と、を備えたことを特徴とする。
【０００３】
しかしながら、従来の画像形成装置においては、記録紙給紙手段と作像部との間の搬送経路上に位置し搬送されている記録紙の種類を判定するための記録紙種類検知手段を設けなければならず、コストが上昇するといった問題がある。
【特許文献１】特開平６−１５６８０４号公報
【発明の概要】
【発明が解決しようとする課題】
【０００４】
この発明は、上述した問題点を解決するためになされたもので、この発明の目的の１つは、カセットに用紙が収納される際に、用紙が正しく収納されているか否かを通知することが可能な画像形成装置を提供することである。
【０００５】
この発明の他の目的は、カセットに用紙が収納される際に、用紙が正しく収納されているか否かを通知することが可能な画像形成方法を提供することである。
【０００６】
この発明のさらに他の目的は、カセットに用紙が収納される際に、用紙が正しく収納されているか否かを通知することが可能な画像形成プログラムを提供することである。
【課題を解決するための手段】
【０００７】
上述した問題を達成するためにこの発明のある局面によれば、画像形成装置は、原稿を読み取って、画像を出力する原稿読取手段と、カセットに収納された用紙を画像形成手段に供給する給紙手段と、画像を用紙に形成する画像形成手段と、カセットに収納された用紙を画像形成手段に供給する給紙手段と、原稿読取手段がカセットに収納される用紙を読み取って出力する用紙画像からテスト画像を生成するテスト画像生成手段と、カセットの開閉を検出する検出手段と、検出手段がカセットの開閉を検出することに応じて、カセットに収納された用紙にテスト画像を画像形成手段に形成させるテストプリント実行手段と、を備える。
【０００８】
この局面に従えば、原稿読取手段がカセットに収納される用紙を読み取って出力する用紙画像からテスト画像が生成されるので、テスト画像はカセットに収納される用紙に記録された画像または色の特徴を含む。このため、テスト画像が形成された用紙を見るユーザは、テスト画像の色または方向と用紙の色または方向との異同から用紙が正しくカセットに収納されているか否かを判断することができる。また、カセットの開閉が検出されることに応じて、カセットに収納された用紙にテスト画像が形成されるので、カセットに用紙が収納されるごとに、そのカセットに収納された用紙にテスト画像が形成される。その結果、カセットに用紙が収納される際に、用紙が正しく収納されているか否かを通知することが可能な画像形成装置を提供することができる。
【０００９】
好ましくは、テスト画像生成手段は、用紙画像に含まれる文字または／および線画を抽出する文字線画抽出手段を含み、テスト画像生成手段は、抽出された文字または／および線画と同一の文字または／および線画を抽出された文字または／および線画と同一の位置に配置したテスト画像を生成する。
【００１０】
この局面に従えば、テスト画像は、用紙に記録された文字または／および線画と同じ方向の文字または／および線画を、用紙に形成される位置と同じ位置に含む。このため、テスト画像が形成された用紙を見るユーザは、テスト画像の方向と用紙の方向との異同を視認することができる。さらに、用紙の方向がテスト画像の方向と異なる場合には、テスト画像が用紙に記録されている文字または／および線画とずれて形成されるので、方向が異なっていることをユーザは直ちに視認することができる。
【００１１】
好ましくは、画像形成手段は、フルカラーの画像を形成可能であり、テスト画像生成手段は、用紙画像に含まれる文字または／および線画の色を検出する色検出手段をさらに含み、テスト画像生成手段は、文字または／および線画を、検出された色を付して配置する。
【００１２】
この局面に従えば、テスト画像が形成された用紙は、収納した用紙に記録されている画像と同じ色の画像が形成されるので、用紙の収納方向が正しい場合には、ユーザは、テスト画像が用紙に形成されていることを視認するのが困難である。このため、用紙が正しく収納されていることをユーザに通知することができる。
【００１３】
好ましくは、画像形成手段は、フルカラーの画像を形成可能であり、テスト画像生成手段は、用紙画像の下地の色を検出する下地色検出手段を含み、テスト画像生成手段は、予め定められた印字用画像を検出された色を付して配置したテスト画像を生成する。
【００１４】
この局面に従えば、用紙画像の下地の色が検出され、予め定められた印字用画像を検出された色を付して配置したテスト画像が生成されるので、テスト画像は、用紙の下地の色と同じ色の印字用画像を含む。このため、テスト画像が形成された用紙を見るユーザは、テスト画像に含まれる印字用画像の色と用紙の色との異同を視認することができる。その結果、収納されている用紙の種類が異なっていることをユーザに通知することができる。
【００１５】
好ましくは、印字用画像は１つの方向を有し、テスト画像生成手段は、印字用画像を、該印字用画像が有する方向と用紙画像の方向とを同じにしてテスト画像に配置する。
【００１６】
この局面に従えば、印字用画像が用紙画像の方向と同じ方向でテスト画像に配置されるので、用紙の方向が印字用画像の方向と異なる場合には、方向が異なっていることを通知することができる。
【００１７】
好ましくは、カセットは、複数あり、テスト画像生成手段は、複数のカセットのうちユーザにより指定されたものと生成されたテスト画像とを関連付ける関連付手段をさらに含む。
【００１８】
好ましくは、ユーザの操作を受け付ける操作受付手段と、プリントデータを受信するプリントデータ受信手段と、カセットに収納されている用紙の有無を検出する残量検出手段と、をさらに備え、画像形成手段は、残量検出手段により用紙無しが検出されると、受信されたプリントデータの画像形成を中断し、操作受付手段により所定の操作が受け付けられることを条件に、中断したプリントデータの画像形成を再開する。
【００１９】
この局面に従えば、所定の操作が受け付けられなければ、プリントデータの画像形成が再開されないので、用紙が正しく収納される前に、プリントデータの画像形成が再開されて、用紙が無駄に消費されるのを防止することができる。
【００２０】
この発明の他の局面によれば、画像形成方法は、原稿を読み取って、画像を出力する原稿読取手段と、画像を用紙に形成する画像形成手段と、画像を出力する原稿読取手段と、カセットに収納された用紙を画像形成手段に供給する給紙手段と、を備えた画像形成装置で実行される画像形成方法であって、原稿読取手段がカセットに収納される用紙を読み取って出力する用紙画像からテスト画像を生成するステップと、カセットの開閉を検出する検出手段と、検出手段がカセットの開閉を検出することに応じて、カセットに収納された用紙にテスト画像を画像形成手段に形成させるステップと、を含む。
【００２１】
この局面に従えば、カセットに用紙が収納される際に、用紙が正しく収納されているか否かを通知することが可能な画像形成方法を提供することができる。
【００２２】
この発明のさらに他の局面によれば、画像形成プログラムは、原稿を読み取って、画像を出力する原稿読取手段と、画像を用紙に形成する画像形成手段と、画像を出力する原稿読取手段と、カセットに収納された用紙を画像形成手段に供給する給紙手段と、を備えた画像形成装置を制御するコンピュータで実行される画像形成プログラムであって、原稿読取手段がカセットに収納される用紙を読み取って出力する用紙画像からテスト画像を生成するステップと、カセットの開閉を検出する検出手段と、検出手段がカセットの開閉を検出することに応じて、カセットに収納された用紙にテスト画像を画像形成手段に形成させるステップと、をコンピュータに実行させる。
【００２３】
この局面に従えば、カセットに用紙が収納される際に、用紙が正しく収納されているか否かを通知することが可能な画像形成プログラムを提供することができる。
【図面の簡単な説明】
【００２４】
【図１】本実施の形態におけるＭＦＰの内部構成を示す図である。
【図２】ＭＦＰのハードウェア構成の一例を示すブロック図である。
【図３】ＭＦＰが備えるＣＰＵの機能の概要の一例をＥＥＰＲＯＭに記憶されるデータとともに示すブロック図である。
【図４】テスト画像設定画面の一例を示す図である。
【図５】第１の用紙の一例を示す図である。
【図６】第２の用紙の一例を示す図である。
【図７】第１の用紙に基づき生成される第１のテスト画像の一例を示す図である。
【図８】第１のテスト画像が形成された第２の用紙の一例を示した図である。
【図９】第１の用紙に基づき生成される第２のテスト画像の一例を示す図である。
【図１０】第２のテスト画像が形成された第２の用紙の一例を示した図である。
【図１１】第１の用紙に基づき生成される第３のテスト画像の一例を示す図である。
【図１２】第３のテスト画像が形成された第２の用紙の一例を示した第１の図である。
【図１３】第３のテスト画像が形成された第２の用紙の一例を示した第２の図である。
【図１４】テスト画像生成処理の流れの一例を示すフローチャートである。
【図１５】テストプリント実行処理の流れの一例を示す第１のフローチャートである。
【図１６】テストプリント実行処理の流れの一例を示す第２のフローチャートである。
【発明を実施するための形態】
【００２５】
以下、本発明の実施の形態について図面を参照して説明する。以下の説明では同一の部品には同一の符号を付してある。それらの名称および機能も同じである。したがってそれらについての詳細な説明は繰り返さない。
【００２６】
図１は、本実施の形態におけるＭＦＰの内部構成を示す図である。図１を参照して、ＭＦＰ１は、自動原稿搬送装置（ＡＤＦ）１０と、原稿読取部２０と、画像形成部３０と、給紙部４０と、を含む。
【００２７】
ＡＤＦ１０は、ユーザにより原稿給紙トレイ１１上にセットされた複数枚の原稿を、１枚ずつ自動的に原稿読取部２０のプラテンガラス上に設定された所定の原稿読取り位置まで搬送し、原稿読取部２０により原稿画像が読取られた原稿を原稿排紙トレイ１２上に排出する。原稿読取部２０は、原稿読取位置に位置する原稿に光を照射する光源と、原稿で反射した光を受光する光電変換素子とを含み、原稿のサイズに応じた原稿画像を走査する。光電変換素子は、受光した光を電気信号である画像データに変換して、画像形成部３０に出力する。
【００２８】
画像形成部３０は、周知の電子写真方式により画像を形成するものであって、イエロー、マゼンタ、シアンおよびブラックの４色にそれぞれ対応した現像ユニット３１，３３，３５，３７と、転写ベルト３９と、を備える。現像ユニット３１，３３，３５，３７それぞれは、感光体ドラムと、露光ユニットと、現像器と、を備える。露光ユニットは、原稿読取部２０から入力される画像データにシェーディング補正などの各種のデータ処理を施し、データ処理後のデータを主走査ラインごとにレーザダイオードを駆動するための駆動信号に変換し、感光体ドラム上にレーザ光をそれぞれ走査する。これにより、感光体ドラムに静電潜像が形成される。現像器は対応する色のトナーを収納するトナーカートリッジが装着されており、感光体ドラム上に形成された静電潜像にトナーを載せ、トナー像を形成する。感光体ドラムの上に形成されたトナー像は、転写ベルト３９上に、転写チャージャにより転写される。転写ベルト３９は、現像ユニット３１，３３，３５，３７それぞれが備える感光体ドラム上のトナー像を全て重ね合わせて、給紙部４０から搬送されてくる用紙に転写する。なお、画像形成部３０は、イエロー、マゼンタ、シアンおよびブラックの４色にそれぞれ対応した現像ユニット３１，３３，３５，３７のうちから選択された１以上を駆動することが可能であり、１つを選択して駆動する場合には、単色の画像を形成することができる。
【００２９】
給紙部４０は、用紙を収納しておくための給紙カセット４１，４２，４３を含む。給紙カセット４１は、それに収納される用紙の枚数を検出する用紙残量センサ４７と、収納された用紙を画像形成部３０に向けて繰り出すためのピックアップローラと、を備えている。給紙カセット４２は、それに収納される用紙の枚数を検出する用紙残量センサ４８と、収納された用紙を画像形成部３０に向けて繰り出すためのピックアップローラと、を備えている。給紙カセット４３は、それに収納する用紙の枚数を検出する用紙残量センサ４９と、収納された用紙を画像形成部３０に向けて繰り出すためのピックアップローラと、を備えている。また、給紙カセット４１，４２，４３それぞれに近接して、開閉センサ４４，４５，４６がそれぞれ配置されている。開閉センサ４４は、給紙カセット４１の開閉を検出し、開閉センサ４５は、給紙カセット４２の開閉を検出し、開閉センサ４６は、給紙カセット４３の開閉を検出する。
【００３０】
図２は、ＭＦＰのハードウェア構成の一例を示すブロック図である。図２を参照して、ＭＦＰ１は、メイン回路１０１と、ＡＤＦ１０と、原稿読取部２０と、画像形成部３０と、給紙部４０と、操作パネル１３と、用紙残量センサ４７，４８，４９と、開閉センサ４４，４５，４６と、を含む。
【００３１】
メイン回路１０１は、ＣＰＵ１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、ネットワークＩ／Ｆ１１８と、ＣＤ−ＲＯＭ（Ｃｏｍｐａｃｔ  Ｄｉｓｋ  Ｒｅａｄ  Ｏｎｌｙ  Ｍｅｍｏｒｙ）１１９Ａが装着される外部記憶装置１１９と、を含む。ＣＰＵ１１１は、ＡＤＦ１０、原稿読取部２０、画像形成部３０、給紙部４０、操作パネル１３、用紙残量センサ４７，４８，４９および開閉センサ４４，４５，４６と接続され、ＭＦＰ１の全体を制御する。
【００３２】
用紙残量センサ４７は、給紙カセット４１に収納されている用紙の枚数を検出し、検出された枚数をＣＰＵ１１１に出力する。用紙残量センサ４８は、給紙カセット４２に収納されている用紙の枚数を検出し、検出された枚数をＣＰＵ１１１に出力する。用紙残量センサ４９は、給紙カセット４３に収納されている用紙の枚数を検出し、検出された枚数をＣＰＵ１１１に出力する。
【００３３】
開閉センサ４４は、給紙カセット４１の開閉を検出し、給紙カセット４１の開状態を示す開信号または閉状態を示す閉信号をＣＰＵ１１１に出力する。開閉センサ４５は、給紙カセット４２の開閉を検出し、給紙カセット４２の開状態を示す開信号または閉状態を示す閉信号をＣＰＵ１１１に出力する。開閉センサ４６は、給紙カセット４３の開閉を検出し、給紙カセット４３の開状態を示す開信号または閉状態を示す閉信号をＣＰＵ１１１に出力する。
【００３４】
ＲＯＭ１１３は、ＣＰＵ１１１が実行するプログラム、およびそのプログラムを実行するために必要なデータを記憶する。ＲＡＭ１１４は、ＣＰＵ１１１がプログラムを実行する際の作業領域として用いられる。
【００３５】
通信Ｉ／Ｆ部１１２は、ＭＦＰ１を他の装置とシリアル通信ケーブルで接続するためのインターフェースである。なお、接続形態は、有線であっても無線であってもよい。
【００３６】
ファクシミリ部１１７は、公衆交換電話網（ＰＳＴＮ）に接続され、ＰＳＴＮにファクシミリデータを送信する、またはＰＳＴＮからファクシミリデータを受信する。ファクシミリ部１１７は、受信したファクシミリデータを、ＨＤＤ１１６に記憶する、または画像形成部３０に出力する。画像形成部３０は、ファクシミリ部１１７により受信されたファクシミリデータの画像を用紙に形成する。また、ファクシミリ部１１７は、ＨＤＤ１１６に記憶されたデータをファクシミリデータに変換して、ＰＳＴＮに接続されたファクシミリ装置に送信する。
【００３７】
ネットワークＩ／Ｆ１１８は、ＭＦＰ１をネットワークに接続するためのインターフェースである。ＣＰＵ１１１は、ネットワークＩ／Ｆ１１８を介してネットワークに接続されたパーソナルコンピュータ（ＰＣ）、さらにインターネットに接続されたコンピュータと通信可能である。
【００３８】
外部記憶装置１１９は、ＣＤ−ＲＯＭ１１９Ａが装着される。ＣＰＵ１１１は、外部記憶装置１１９を介してＣＤ−ＲＯＭ１１９Ａにアクセス可能であり、ＣＤ−ＲＯＭ１１９Ａに記憶されたプログラムをＲＡＭ１１４にロードして実行可能である。なお、ＣＰＵ１１１が実行するプログラムは、ＣＤ−ＲＯＭ１１９Ａに記憶されたプログラムに限られず、他の記憶媒体に記憶されたプログラムでもよく、ＨＤＤ１１６に記憶されたプログラムであってもよく、さらに、ネットワークＩ／Ｆ１１８を介してネットワークに接続された他のコンピュータによりＨＤＤ１１６に書き込みされたプログラムであってもよい。
【００３９】
なお、プログラムを記憶する記憶媒体としては、ＣＤ−ＲＯＭ１１９Ａに限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などの半導体メモリでもよい。
【００４０】
ここでいうプログラムは、ＣＰＵ１１１が直接実行可能なプログラムだけでなく、ソースプログラム、圧縮処理されたプログラム、暗号化されたプログラム等を含む。
【００４１】
操作パネル１３は、ＭＦＰ１の上面に設けられ、表示部１０３と、操作部１０５とを含む。表示部１０３は、液晶表示装置、有機ＥＬＤ（Ｅｌｅｃｔｒｏｌｕｍｉｎｅｓｃｅｎｃｅ  Ｄｉｓｐｌａｙ）等の表示装置であり、ユーザに対する指示メニューや取得した表示データに関する情報等を表示する。操作部１０５は、ユーザの操作を受け付け、受け付けられた操作をＣＰＵ１１１に出力する。操作部１０５は、表示部１０３の上に重畳して配置されたタッチパネルを含む。タッチパネルは、透明な部材からなり、表示部１０３に重畳して配置される。タッチパネルは、ユーザがタッチパネルを指で触れると、触れられた位置を指示位置として検出し、ＣＰＵ１１１に出力する。
【００４２】
図３は、ＭＦＰが備えるＣＰＵの機能の概要の一例をＥＥＰＲＯＭに記憶されるデータとともに示すブロック図である。図３を参照して、ＭＦＰ１が備えるＣＰＵ１１１は、ユーザの操作を受け付ける操作受付部５１と、原稿読取部２０を制御する読取制御部５３と、テスト画像を生成するテスト画像生成部５５と、外部からプリントデータを受信するプリントデータ受信部５７と、給紙カセット４１，４２，４３それぞれに収納された用紙の残量を検出する用紙残量検出部５９と、給紙カセット４１，４２，４３それぞれの開閉状態を検出する開閉検出部６１と、画像形成部３０を制御する画像形成制御部６３と、テストプリント実行部６５と、を含む。
【００４３】
操作受付部５１は、ユーザが操作部１０５に入力する操作を受け付ける。操作受付部５１は、操作部１０５が備えるテスト画像設定ボタンをユーザが押下すると、テスト画像の登録を指示する操作を受け付ける。操作受付部５１は、テスト画像の登録を指示する操作を受け付ける場合、テスト画像設定画面を表示部１０３に表示し、テスト画像を登録するための各種の設定を受け付ける。
【００４４】
テスト画像は、給紙カセット４１，４２，４３のいずれかに収納された用紙を、原稿読取部２０が読み取って出力する画像データに基づいて生成され、給紙カセット４１，４２，４３のうち原稿読取部２０が読み取った用紙が収納されるものに関連付けてＥＥＰＲＯＭ１１５に記憶される。このため、テスト画像設定画面は、給紙カセット４１，４２，４３のいずれかをユーザが選択するための領域を少なくとも含む。
【００４５】
図４は、テスト画像設定画面の一例を示す図である。図４を参照して、テスト画像設定画面２００は、給紙カセット４１，４２，４３のうちから１つを選択する指示を受け付ける給紙カセット選択領域１８０と、印字用画像の設定を受け付ける印字用画像設定領域１９０と、ユーザに操作をガイダンスするガイダンス領域２０５、２０７と、を含む。
【００４６】
給紙カセット選択領域１８０は、給紙カセット４１の識別情報「第１給紙カセット」が表されたボタン１８１と、給紙カセット４２の識別情報「第２給紙カセット」が表されたボタン１８３と、給紙カセット４３の識別情報「第３給紙カセット」が表されたボタン１８５とを含む。ボタン１８１，１８３，１８５は、ユーザが給紙カセット４１，４２，４３のいずれかを選択するためのボタンであり、排他的に選択可能である。ボタン１８１，１８３，１８５のいずれかがユーザにより指示されると、指示されたことをユーザに通知するために指示されたボタンが反転表示される。図では、ボタン１８１が指示されて反転表示されていることをハッチングで示している。
【００４７】
なお、ここでは、ユーザが給紙カセット４１，４２，４３のいずれか１つを選択する操作を、ボタン１８１，１８３，１８５を指示する操作としたが、ユーザが給紙カセット４１，４２，４３を開閉する操作としてもよい。この場合には、開閉センサ４４，４５，４６の出力に基づいて、給紙カセット４１，４２，４３のいずれが開閉したかを検出し、給紙カセット４１，４２，４３のうち開閉が検出されたものを選択するようにすればよい。
【００４８】
印字用画像設定領域１９０は、ＥＥＰＲＯＭ１１５に予め記憶されている部品画像のいずれかを印字用画像に用いるかの設定を受け付けるための領域である。部品画像は、後述するテスト画像を生成するために用いられ、スタンプ画像と、パターン画像とを含む。印字用画像設定領域１９０は、印字用画像として用いる部品画像を、スタンプ画像とパターン画像とのいずれか、または双方とする操作を受け付けるための領域である。スタンプ画像は、所定の文字を含む画像であり、パターン画像は、所定のパターンを定義する画像である。印字用画像設定領域１９０は、「スタンプ画像」の文字列を含むボタン１９１と、「パターン画像」の文字列を含むボタン１９３とを含む。ボタン１９１およびボタン１９３はいずれか一方、または双方を選択可能である。ボタン１９１および／またはボタン１９３がユーザにより指示されると、指示が受け付けられたことをユーザに示すために、指示されたボタンが反転表示される。図では、双方が指示されて、反転表示されていることを、ハッチングで示している。
【００４９】
ガイダンス領域２０５、２０７は、テスト画像生成時における操作をユーザにガイダンスする領域であり、ガイダンス領域２０５は原稿を原稿給紙トレイ１１に載置する操作を示し、ガイダンス領域２０７は給紙カセット４１，４２，４３に用紙を収納する操作を示す。
【００５０】
ガイダンス領域２０５は、原稿給紙トレイ１１に配置する原稿の表裏および方向を示す。ここでは、ガイダンス領域２０５の中心に「表」の文字が配置され、左側に「上」の文字が配置され、右側に「下」の文字が配置される。ガイダンス領域２０５の中心に配置された「表」の文字は、原稿の表裏が表であること示し、ユーザに対して原稿給紙トレイ１１に原稿の表を上にして原稿を載置することが通知される。ガイダンス領域２０５の左側に配置された「上」の文字および右側に配置された「下」の文字は、原稿の方向と原稿給紙トレイ１１との方向との関係が、原稿の上側（下側）が原稿給紙トレイ１１の左側（右側）に一致すること示し、ユーザに対して原稿の下側から上側に向かう方向を原稿給紙トレイ１１の右側から左側に向かう方向に一致するように載置することが通知される。
【００５１】
ガイダンス領域２０７は、給紙カセット４１，４２，４３のうち給紙カセット選択領域１８０において選択されたボタン、ここではボタン１８１に対応する給紙カセット４１に収納される用紙の表裏および方向を示す。ここでは、ガイダンス領域２０７の中心に「表」の文字が配置され、左側に「下」の文字が配置され、右側に「上」の文字が配置される。ガイダンス領域２０７の中心に配置された「表」の文字は、用紙の表裏が表であること示し、ユーザに対して給紙カセット４１に用紙の表を上にして用紙を載置することが通知される。ガイダンス領域２０７の左側に配置された「下」の文字および右側に配置された「上」の文字は、用紙の方向と給紙カセット４１との方向との関係が、用紙の下側（上側）が給紙カセット４１の右側（左側）に一致すること示し、ユーザに対して用紙の下側から上側に向かう方向が給紙カセット４１の左側から右側に向かう方向に一致するように用紙を給紙カセット４１に収納することが通知される。
【００５２】
図３に戻って、操作受付部５１は、テスト画像設定画面２００の給紙カセット選択領域１８０に含まれるボタン１８１がユーザにより押下されたことを検出すると、ボタン１８１に対応する給紙カセット４１を識別するためのカセット識別情報「第１給紙カセット」をテスト画像生成部５５に出力する。操作受付部５１は、テスト画像設定画面２００に含まれるボタン１８３がユーザにより押下されたことを検出すると、ボタン１８３に対応する給紙カセット４２を識別するためのカセット識別情報「第２給紙カセット」をテスト画像生成部５５に出力する。操作受付部５１は、テスト画像設定画面２００に含まれるボタン１８５がユーザにより押下されたことを検出すると、ボタン１８５に対応する給紙カセット４３を識別するためのカセット識別情報「第３給紙カセット」をテスト画像生成部５５に出力する。
【００５３】
また、操作受付部５１は、テスト画像設定画面２００に含まれる印字用画像設定領域１９０のボタン１９１がユーザにより押下されたことを検出すると、ボタン１９１に予め割り当てられたスタンプ画像の名称を印字用画像名としてテスト画像生成部５５に出力する。操作受付部５１は、テスト画像設定画面２００に含まれる印字用画像設定領域１９０のボタン１９３がユーザにより押下されたことを検出すると、ボタン１９３に予め割り当てられたパターン画像の名称を印字用画像名としてテスト画像生成部５５に出力する。
【００５４】
操作受付部５１は、テスト画像設定画面２００を表示部１０３に表示している段階で、操作部１０５が備えるスキャンボタンが指示されると、テスト画像生成指示を受け付け、テスト画像生成指示を読取制御部５３およびテスト画像生成部５５に出力する。
【００５５】
読取制御部５３は、操作受付部５１からテスト画像生成指示が入力されると、原稿読取部２０を制御して、原稿読取部２０が原稿を読み取って出力する画像データを取得し、取得された画像データを用紙画像としてテスト画像生成部５５に出力する。
【００５６】
操作受付部５１が表示部１０３に表示されるテスト画像設定画面は、上述したように、ガイダンス領域２０７を含む。ユーザは、ガイダンス領域２０７に表示された操作に従って、用紙を給紙カセット４１，４２，４３のうちテスト画像設定画面に含まれる給紙カセット選択領域１８０で選択したものに収納し、収納した用紙と同一の用紙をガイダンス領域２０５に表示された操作に従って原稿給紙トレイ１１に置いた状態で、操作部１０５が備えるスキャンボタンを押下する。このため、読取制御部５３が、原稿読取部２０から取得する画像データは、原稿読取部２０が、給紙カセット４１，４２，４３のうちユーザが用紙を収納したものに収納された用紙と同一の用紙を原稿として読み取って出力する画像データである。したがって、原稿読取部２０がテスト画像生成部５５に出力する用紙画像は、給紙カセット４１，４２，４３のうちユーザが用紙を収納したものに収納された用紙の下地領域およびそれに形成されている線画と同じ下地領域および線画を含む。
【００５７】
テスト画像生成部５５は、読取制御部５３から入力される用紙画像を解析して、テスト画像を生成する。テスト画像生成部５５は、文字線画抽出部７１と、下地領域抽出部７３と、下地色検出部７５と、配置部７７と、関連付部８１と、を含む。
【００５８】
文字線画抽出部７１は、読取制御部５３から入力される用紙画像から文字または／および線画を抽出するとともに、抽出された文字または／および線画の用紙画像中の色および位置を抽出する。例えば、用紙画像を微分したエッジ画像を生成し、エッジ画像から文字または／および線画を抽出する。エッジ画像は、用紙画像の画素値を、横方向に隣接する画素の画素値との差分がしきい値以上ならば「１」とし、差分がしきい値より小さければ「０」とすることにより生成される。なお、画像中から文字または線画を抽出する技術は、これに限定されることなく、他の技術を用いてもよい。
【００５９】
文字線画抽出部７１は、用紙画像から抽出された文字または／および線画と、文字または／および線画の用紙画像中の色および位置との組を、配置部７７に出力する。文字線画抽出部７１は、用紙画像に文字および線画が含まれなければ文字および線画を抽出しないが、この場合には、文字線画抽出部７１は、配置部７７に文字または線画が存在しないことを示す信号を出力する。
【００６０】
下地領域抽出部７３は、読取制御部５３から入力される用紙画像から下地領域を抽出し、抽出された下地領域の用紙画像中の位置を検出する。用紙画像から下地領域を抽出する技術は、周知な技術を用いることができる。例えば、用紙画像中で同じ色の画素の数が最も多い複数の画素の集合を下地領域とすればよい。下地領域抽出部７３は、抽出された下地領域を下地色検出部７５に出力し、検出された下地領域の用紙画像中の位置を配置部７７に出力する。
【００６１】
下地色検出部７５は、下地領域抽出部７３から入力される下地領域の色を検出し、検出された色を配置部７７に出力する。
【００６２】
配置部７７は、文字線画抽出部７１から文字または／および線画と、文字または／および線画の用紙画像中の色および位置との組が入力される場合、文字または／および線画に、用紙画像中の色を付し、テスト画像中の用紙画像中の位置と同じ位置に、色を付した文字または／および線画をテスト画像に配置する。色を付した文字または／および線画を配置するテスト画像は、デフォルトの状態であり、すべての画素の値が「２５６」である。配置部７７により、テスト画像は、用紙画像中に含まれる文字または線画と、同じ色および同じ形状の文字または線画を含む。なお、画素値が「２５６」の画素は、画像形成部３０によりトナーが用紙上に形成されない値を示す。
【００６３】
文字線画抽出部７１により抽出される文字または／および線画は、文字の場合には方向を含み、線画の場合は、方向を含む場合がある。このため、配置部７７により色を付した文字または／および線画が配置されたテスト画像は、用紙に記録された文字または／および線画と同じ方向の文字または／および線画を、用紙に記録されている位置と同じ位置に含む。
【００６４】
配置部７７は、下地領域抽出部７３から下地領域の用紙画像中の位置が入力され、下地色検出部７５から下地領域の色が入力される。さらに、配置部７７は、操作受付部５１から印字用画像名が入力される。配置部７７は、操作受付部５１から印字用画像名としてスタンプ画像の名称が入力される場合、入力されたスタンプ画像の名称で特定されるスタンプ画像９５をＥＥＰＲＯＭ１１５から読み出し、読み出されたスタンプ画像９５に下地色検出部７５から入力される色を付した色付スタンプ画像を生成する。スタンプ画像は、１つの方向を有する画像である。そして、配置部７７は、色付スタンプ画像をテスト画像の下地領域抽出部７３から入力される下地領域の位置と同じ位置に配置する。スタンプ画像が１つの方向を有する場合、配置部７７は、色付スタンプ画像をそれが有する方向が用紙画像の方向と同じ方向でテスト画像に配置する。ここでのテスト画像は、文字線画抽出部７１が文字または／および線画を抽出する場合は、文字または／および線画が配置された後のテスト画像である。
【００６５】
配置部７７は、操作受付部５１からパターン画像の名称が入力される場合、入力されたパターン画像の名称で特定されるパターン画像９７をＥＥＰＲＯＭ１１５から読み出し、読み出されたパターン画像９７に下地色検出部７５から入力される色を付した色付パターン画像を生成する。そして、配置部７７は、色付パターン画像をテスト画像の下地領域抽出部７３から入力される下地領域の全体に配置する。ここでのテスト画像は、文字線画抽出部７１が文字または／および線画を抽出する場合は、文字または／および線画が配置された後のテスト画像であり、さらに、色付スタンプ画像が配置される場合は、色付スタンプ画像が配置された後のテスト画像である。
【００６６】
配置部７７がテスト画像に色付スタンプ画像または／および色付パターン画像を配置するのは、下地色検出部７５から入力される下地領域の色が「白」色でない場合である。配置部７７は、下地色検出部７５から入力される下地領域の色が「白」色の場合、テスト画像に色付スタンプ画像または／および色付パターン画像を配置しない。ＭＦＰ１がテスト画像を形成することができないからである。配置部７７は、文字または／および線画、または色付スタンプ画像を配置したテスト画像を関連付部８１に出力する。
【００６７】
関連付部８１は、操作受付部５１から給紙カセット４１，４２，４３のいずれかを識別するためのカセット識別情報が入力され、配置部７７からテスト画像が入力される。関連付部８１は、配置部７７から入力されるテスト画像を、操作受付部５１から入力されるカセット識別情報と関連付けてＥＥＰＲＯＭ１１５に記憶する。これにより、ＥＥＰＲＯＭ１１５にテスト画像９１が記憶される。テスト画像は、テスト画像設定画面２００が表示部１０３に表示されている状態で、スタートキーが押下されることにより原稿読取部２０が原稿を読み取って出力する画像データに基づいて生成される。一方、操作受付部５１から入力されるカセット識別情報は、テスト画像設定画面２００の給紙カセット選択領域１８０においてユーザが給紙カセット４１，４２，４３のうちから選択したものを識別するためのカセット識別情報である。したがって、テスト画像は、給紙カセット４１，４２，４３それぞれのうち、ユーザによりテスト画像設定画面２００にて選択された給紙カセットに関連付けられる。関連付部８１は、配置部７７から入力されるテスト画像を識別するための画像識別情報とカセット識別情報とを含む関連付データをＥＥＰＲＯＭ１１５に記憶することによって、テスト画像をカセット識別情報と関連付ける。
【００６８】
プリントデータ受信部５７は、ネットワークＩ／Ｆ１１８を制御して、ＰＣから送信されたプリントデータを受信する。プリントデータ受信部５７は、受信されたプリントデータを画像形成制御部６３に出力する。
【００６９】
用紙残量検出部５９は、用紙残量センサ４７から給紙カセット４１に収納されている用紙の枚数が入力され、用紙残量センサ４８から給紙カセット４２に収納されている用紙の枚数が入力され、用紙残量センサ４９から給紙カセット４３に収納されている用紙の枚数が入力される。用紙残量検出部５９は、用紙残量センサ４７から入力される枚数がゼロになると、給紙カセット４１の残量がゼロであることを画像形成制御部６３に出力し、用紙残量センサ４８から入力される枚数がゼロになると、給紙カセット４２の残量がゼロであることを画像形成制御部６３に出力し、用紙残量センサ４９から入力される枚数がゼロになると、給紙カセット４３の残量がゼロであることを画像形成制御部６３に出力する。
【００７０】
開閉検出部６１は、開閉センサ４４から給紙カセット４１の開状態を示す開信号または閉状態を示す閉信号が入力され、開閉センサ４５から給紙カセット４２の開状態を示す開信号または閉状態を示す閉信号が入力され、開閉センサ４６から給紙カセット４３の開状態を示す開信号または閉状態を示す閉信号が入力される。開閉検出部６１は、給紙カセット４１，４２，４３ごとに開閉状態を示す状態信号を画像形成制御部６３およびテストプリント実行部６５に出力する。例えば、開閉検出部６１は、開閉センサ４４から開信号が入力されると、次に開閉センサ４４から閉信号が入力されるまでの間、給紙カセット４１のカセット識別情報「第１給紙カセット」と開状態を示す状態信号との組を画像形成制御部６３およびテストプリント実行部６５に出力する。開閉検出部６１は、開閉センサ４４から閉信号が入力されると、次に開閉センサ４４から開信号が入力されるまでの間、給紙カセット４１のカセット識別情報「第１給紙カセット」と閉状態を示す状態信号との組を画像形成制御部６３およびテストプリント実行部６５に出力する。したがって、画像形成制御部６３およびテストプリント実行部６５それぞれは、開閉検出部６１から入力されるカセット識別情報と状態信号との組に基づいて、給紙カセット４１，４２，４３ごとに開閉状態を検出する。
【００７１】
画像形成制御部６３は、プリントデータ受信部５７からプリントデータが入力されることに応じて、画像形成部３０および給紙部４０を制御して、給紙部４０に給紙カセット４１，４２，４３のいずれかに収納された用紙を画像形成部３０に搬送させ、画像形成部３０にプリントデータの画像を用紙に形成させる。給紙部４０に給紙カセット４１，４２，４３のいずれかに収納された用紙を搬送させるかは、プリントデータ受信部５７から入力されるプリントデータによって定まる。
【００７２】
画像形成制御部６３は、画像形成部３０にプリントデータの画像を形成させている最中に、中断条件が成立すると、画像形成部３０に画像の形成を中断させ、給紙部４０に給紙カセット４１，４２，４３のうち給紙部４０に用紙を搬送させていたもののカセット識別情報をテストプリント実行部６５に出力する。中断条件は、第１の中断条件と第２の中断条件とを含み、いずれか一方が成立すると、中断条件が成立する。第１の中断条件は、用紙残量検出部５９から給紙カセット４１，４２，４３のうち給紙部４０が画像形成部３０に用紙を搬送しているものの残量がゼロになったことが入力されることである。第２の条件は、開閉検出部６１から給紙カセット４１，４２，４３のうち給紙部４０が画像形成部３０に用紙を搬送しているもののカセット識別情報と開状態を示す状態信号との組が入力されることである。
【００７３】
画像形成制御部６３は、プリントデータの画像形成を中断した後は、再開条件が成立することを条件に、プリントデータの画像形成を再開する。再開条件は、第１〜第３再開条件を含み、第１〜第３再開条件のすべてが成立すると、再開条件が成立する。第１再開条件は、用紙残量検出部５９から給紙カセット４１，４２，４３のうち給紙部４０が画像形成部３０に用紙を搬送していたものの用紙の残量がゼロでないことが入力されることである。第２再開条件は、開閉検出部６１から給紙カセット４１，４２，４３のうち給紙部４０が画像形成部３０に用紙を搬送していたもののカセット識別情報と閉状態を示す状態信号との組が入力されることである。第３再開条件は、後述するテストプリント実行部６５から再開指示が入力されることである。再開指示については後述する。
【００７４】
中断条件が成立する場合、給紙カセット４１，４２，４３のうち画像形成に用いていた用紙を収納するものに用紙がなくなったか、ユーザが画像形成中に用紙を補充するために給紙カセットを開いた場合である。したがって、第１再開条件、第２再開条件が成立する場合は、ユーザが給紙カセット４１，４２，４３のうち画像形成に用いていた用紙を収納するものに、用紙を補充した後に閉じた状態にした場合である。この場合、ユーザが給紙カセット４１，４２，４３のうち画像形成に用いていた用紙を収納するものに用紙を収納する操作が、誤っている場合がある。例えば、異なる種類の用紙を収納する場合、用紙の表裏を逆にして収納する場合、用紙の方向を逆にして収納する場合等である。
【００７５】
このため、テストプリント実行部６５は、第１再開条件と、第２再開条件とが成立した後に、テストプリントを実行する。テストプリント実行部６５は、画像形成制御部６３が画像形成を中断し、画像形成制御部６３からカセット識別情報が入力された後に、第１再開条件と、第２再開条件とが成立することに応じて、テストプリントを実行する。
【００７６】
テストプリント実行部６５は、ＥＥＰＲＯＭ１１５に記憶されている関連付データを参照して、画像形成制御部６３から入力されるカセット識別情報と関連付けられた画像識別情報で特定されるテスト画像９１をＥＥＰＲＯＭ１１５から読み出す。そして、テストプリント実行部６５は、画像形成部３０および給紙部４０を制御して、給紙カセット４１，４２，４３のうち画像形成制御部６３から入力されるカセット識別情報で特定されるものに収納された用紙を給紙部４０に搬送させ、画像形成部３０にテスト画像９１を用紙に形成させる。
【００７７】
上述したようにテスト画像生成部５５により生成されるテスト画像は、給紙カセット４１，４２，４３のうち画像形成制御部６３から入力されるカセット識別情報で特定されるカセットに収納される用紙に記録された画像または色の特徴を含む。このため、テスト画像が形成された用紙は、給紙カセットに収納された用紙の種類、表裏および方向が正しい場合は、テスト画像の色または方向と用紙に記録された画像の方向および用紙の下地の色とが同じであるが、用紙の種類、表裏および方向の１つでも誤っている場合は、テスト画像の色または方向と用紙に記録された画像の方向および用紙の下地の色のいずれかが異る。このため、テスト画像が形成された用紙を見るユーザは、テスト画像の色または方向と用紙の色または方向との異同から給紙カセットに収納された用紙の種類、表裏および方向が正しいか否かを判断することができる。
【００７８】
特に、テスト画像が、用紙に記録された文字または／および線画と同じ方向の文字または／および線画を、用紙に記録されている位置と同じ位置に含む。このため、テスト画像が形成された用紙を見るユーザは、テスト画像の方向と用紙の方向との異同を視認することができる。さらに、用紙の方向がテスト画像の方向と異なる場合には、テスト画像が用紙に記録されている文字または／および線画とずれて形成されるので、方向が異なっていることをユーザは直ちに視認することができる。
【００７９】
また、テスト画像が、スタンプ画像またはパターン画像を含む場合、テスト画像は、用紙の下地の色と同じ色のスタンプ画像またはパターン画像を含む。このため、テスト画像が形成された用紙を見るユーザは、テスト画像に含まれるスタンプ画像またはパターン画像の色と用紙の色との異同を視認することができるので、収納されている用紙の種類が異なっていることをユーザに通知することができる。
【００８０】
さらに、テスト画像が、１つの方向を含むスタンプ画像を含む場合、テスト画像が形成された用紙を見るユーザは、テスト画像に含まれるスタンプ画像の方向と用紙の方向との異同を視認することができるので、収納されている用紙の方向が異なっていることをユーザに通知することができる。
【００８１】
テストプリント実行部６５は、画像形成部３０にテスト画像９１を用紙に形成させた後、表示部１０３に確認画面を表示する。確認画面は、ユーザが押下可能な確認ボタンを含む。ユーザは、テストプリントされた用紙を見て、給紙カセットに収納された用紙の種類、表裏および方向が正しいと判断する場合に、確認ボタンを押下する。
【００８２】
表示部１０３に確認画面が表示された状態で、ユーザは、テストプリントされた用紙を見て、給紙カセットに収納された用紙の種類、表裏および方向のいずれかが誤っていると判断する場合は、再度給紙カセットに収納されている用紙を取出し、再度収納する操作を、給紙カセットに収納された用紙の種類、表裏および方向が正しいと判断するまで繰り返すことができる。
【００８３】
テストプリント実行部６５は、確認画面を表示部１０３に表示している状態で、開閉検出部６１から給紙カセット４１，４２，４３のうち画像形成制御部６３から入力されるカセット識別情報と開状態を示す状態信号との組が入力された後、開閉検出部６１から給紙カセット４１，４２，４３のうち画像形成制御部６３から入力されるカセット識別情報と閉状態を示す状態信号との組が入力されると、テストプリントを実行する。
【００８４】
すなわち、テストプリント実行部６５は、確認画面に含まれる確認ボタンが押下されたことを検出するまで、繰り返してテストプリントを実行する。テストプリント実行部６５は、確認画面に含まれる確認ボタンが押下されたことを検出すると、画像形成制御部６３に再開指示を出力する。ユーザにより確認ボタンが押下されるまで、再開指示を出力しないので、画像形成制御部６３により中断されたプリントデータの画像形成がユーザにより確認ボタンが押下されるまで再開されない。このため、用紙が正しく収納される前に、プリントデータの画像形成が再開されて、用紙が無駄に消費されるのを防止することができる。
【００８５】
さらに、テストプリント実行部６５は、画像形成制御部６３が画像形成をしていない場合、開閉検出部６１からカセット識別情報と開状態を示す状態信号との組が入力された後、開閉検出部６１からカセット識別情報と閉状態を示す状態信号との組が入力される場合に、テストプリントを実行する。ユーザが、プリント指示を入力していなくても、給紙カセット４１，４２，４３に用紙を追加するなどする場合があるからである。この場合にも、テストプリント実行部６５は、確認画面に含まれる確認ボタンが押下されることを検出するまで繰り返してテストプリントを実行する。
【００８６】
さらに、テストプリント実行部６５は、ユーザがテスト画像設定ボタンを押下し、テスト画像設定画面２００が表示部１０３に表示された後、テスト画像が生成された後に実行する。誤ったテスト画像が登録されるのを防止することができる。
【００８７】
図５は、第１の用紙の一例を示す図である。図５を参照して、第１の用紙２２０は、「出荷伝票Ａ」の文字列と、線画２２３と、下地領域２２１と、を含む。ここでは、「出荷伝票Ａ」の文字列および線画２２３の色を黒色としており、下地領域２２１の色を赤色としている。
【００８８】
図６は、第２の用紙の一例を示す図である。図６を参照して、第２の用紙２３０は、「出荷伝票Ｂ」の文字列と、線画２３３と、下地領域２３１と、を含む。ここで、「出荷伝票Ｂ」の文字列および線画２３３の色を黒色としており、下地領域２３１の色を青色としている。
【００８９】
図７は、第１の用紙に基づき生成される第１のテスト画像の一例を示す図である。図７を参照して、第１のテスト画像２４０は、スタンプ画像２４１を含む。スタンプ画像２４１は、「補充ミス」の文字列を含み、「補充ミス」の文字列の色は、図５に示した第１の用紙２２０の下地領域２２１の色と同じ赤色である。さらに、「補充ミス」の文字列は、方向を含む。また、テスト画像２４０の下地の色は、白色である。
【００９０】
図５に示した第１の用紙２２０の下地領域２２１の色と、図７に示した第１のテスト画像２４０のスタンプ画像２４１の色とが同じである。このため、図５に示した第１の用紙２２０に図７に示した第１のテスト画像２４０が形成される場合、ユーザは、図５に示した第１の用紙２２０に図７に示した第１のテスト画像２４０が形成された用紙中で、下地領域２２１においてはスタンプ画像２４１が薄く視認できるだけであり、注意深く見なければスタンプ画像２４１を視認することができない。なお、テスト画像２４０中の線画２２３の一部がスタンプ画像により削られるが、削られる部分が小さいため目立たない。このため、ユーザは、図５に示した第１の用紙２２０に図７に示した第１のテスト画像２４０が形成された用紙を見て、給紙カセットに給紙された用紙の種類、表裏および方向が正しいと判断することができる。
【００９１】
図８は、第１のテスト画像が形成された第２の用紙の一例を示した図である。図６に示した第２の用紙２３０の下地領域２３１の色と、図７に示した第１のテスト画像２４０のスタンプ画像２４１の色とが異なる。このため、図６に示した第２の用紙２３０に図７に示した第１のテスト画像２４０が形成される場合、ユーザは、図６に示した第２の用紙２３０中にスタンプ画像２４１を鮮明に視認することができる。このため、ユーザに給紙カセットに給紙された用紙の種類が誤っていることを通知することができる。
【００９２】
また、スタンプ画像２４１は、文字列「補充ミス」を含む。文字列は、上方向が特定されるので、用紙が上下逆に収納される場合、用紙に記録されている「出荷伝票Ｂ」の文字列と、スタンプ画像２４１に含まれる文字列「補充ミス」とが上下逆に表れる。このため、カセットに給紙された用紙の種類が誤っていることに加えて、収納する方向が誤っていることを通知することができる。
【００９３】
図９は、第１の用紙に基づき生成される第２のテスト画像の一例を示す図である。図９を参照して、第２のテスト画像２５０は、パターン画像２５１を含む。パターン画像２５１の色は、第１の用紙２２０の下地領域２２１の色と同じ赤色である。また、パターン画像２５１の下地の色は、白色である。
【００９４】
図１０は、第２のテスト画像が形成された第２の用紙の一例を示した図である。図６に示した第２の用紙２３０の下地領域２３１の色と、図９に示した第２のテスト画像２５０のパターン画像２５１の色とが異なる。このため、図６に示した第２の用紙２３０に図９に示した第２のテスト画像２５０が形成される場合、図１０に示すように、ユーザは、図６に示した第２の用紙２３０に中にパターン画像２５１を鮮明に視認することができる。このため、ユーザに給紙カセットに給紙された用紙の種類が誤っていることを通知することができる。
【００９５】
図１１は、第１の用紙に基づき生成される第３のテスト画像の一例を示す図である。図１１を参照して、第３のテスト画像２６０は、白色の下地領域２６１と、第１の用紙２２０に含まれる文字列「出荷伝票Ａ」の文字列と同じ文字列を同じ位置に含む。また、第３のテスト画像２６０は、第１の用紙２２０に含まれる線画２２３と同じ線画２６３を同じ位置に含む。
【００９６】
図１２は、第３のテスト画像が形成された第２の用紙の一例を示した第１の図である。図６に示した第２の用紙２３０の文字列「出荷伝票Ｂ」と、第３のテスト画像２６０中の文字列「出荷伝票Ａ」は、位置が同じで文字「Ａ」と「Ｂ」とが異なる。このため、図１１に示した第３のテスト画像が形成された第２の用紙２３０においては、異なる２つの文字「Ａ」と「Ｂ」とが重なっている。また、図６に示した第２の用紙２３０の線画２３３と、第３のテスト画像中の線画２６３とは、線の位置がずれている。このため、図１１に示した第３のテスト画像が形成された第２の用紙２３０中に２つの線画２３３と線画２６３とを鮮明に視認することができる。このため、ユーザに給紙カセットに給紙された用紙の種類が誤っていることを通知することができる。
【００９７】
図１３は、第３のテスト画像が形成された第２の用紙の一例を示した第２の図である。図１３を参照して、第３のテスト画像２６０が形成された第２の用紙２３０は、第２の用紙２３０と上下方向を逆にした第３のテスト画像２６０が形成されている。このため、図１１に示した第３のテスト画像が上下逆に形成された第２の用紙２３０の上側に配置された文字列「出荷伝票Ｂ」と、反対側の下端に配置された文字列「出荷伝票Ａ」とを鮮明に視認することができる。また、図６に示した第２の用紙２３０の線画２３３と、第３のテスト画像中の線画２６３とは、線の位置がずれている。このため、図１１に示した第３のテスト画像が上下逆に形成された第２の用紙２３０中に２つの線画２３３と線画２６３とを鮮明に視認することができる。このため、ユーザに給紙カセットに給紙された用紙の種類が誤っており、かつ、用紙の方向が逆であることを通知することができる。
【００９８】
図１４は、テスト画像生成処理の流れの一例を示すフローチャートである。テスト画像生成処理は、ＣＰＵ１１１がＲＯＭ１０３またはＥＥＰＲＯＭ１１５に記憶された画像形成プログラムを実行することにより、ＣＰＵ１１１により実行される処理である。図１４を参照して、ＣＰＵ１１１は、テスト画像設定指示を受け付けたか否かを判断する（ステップＳ０１）。ユーザが、操作部１０５が備えるテスト画像設定ボタンを指示するとテスト画像設定指示を受け付ける。テスト画像設定指示を受け付けるまで待機状態となり（ステップＳ０１でＮＯ）、テスト画像設定指示を受け付けたならば（ステップＳ０１でＹＥＳ）、処理をステップＳ０２に進める。
【００９９】
ステップＳ０２においては、図４に示したテスト画像設定画面２００を表示部１０３に表示し、処理をステップＳ０３に進める。ステップＳ０３においては、給紙カセットの選択を受け付けたか否かを判断する。給紙カセットの選択を受け付けたならば、処理をステップＳ０５に進めるが、そうでなければ処理をステップＳ０４に進める。ステップＳ０２において表示されたテスト画像設定画面２００の給紙カセット選択領域１８０において、ボタン１８１が指示されたならば給紙カセット４１の選択を受け付け、ボタン１８３が指示されたならば給紙カセット４２の選択を受け付け、ボタン１８３が指示されたならば給紙カセット４３の選択を受け付ける。
【０１００】
ステップＳ０４においては、印字用画像の選択を受け付けたか否かを判断する。ステップＳ０２において表示されたテスト画像設定画面２００の印字用画像設定領域１９０のボタン１９１が指示されたなならばスタンプ画像の選択を受け付け、ボタン１９３が指示されたならばパターン画像の選択を受け付ける。スタンプ画像およびパターン画像のうちいずれかの選択を受け付けたならば、処理をステップＳ０５に進めるが、そうでなければ処理をステップＳ０３に戻す。
【０１０１】
ステップＳ０５においては、スキャンボタンが押下されたか否かを判断する。スキャンボタンが押下されたならば処理をステップＳ０６に進めるが、そうでなければ、処理をステップＳ０３に戻す。
【０１０２】
ステップＳ０６においては、原稿読取部２０に原稿を読み取らせ、処理をステップＳ０７に進める。ユーザがスタートボタンを押下する場合、ユーザは、選択した給紙カセットに収納される用紙のうちの１枚を原稿給紙トレイ１１に適切な方向で載せ、スキャンボタンを押下するので、原稿読取部２０によって読み取られる原稿は、ステップＳ０３において選択された給紙カセットに収納される用紙と同じである。
【０１０３】
ステップＳ０７においては、原稿読取部２０が出力する画像データを用紙画像として取得し、処理をステップＳ０８に進める。ステップＳ０８においては、ステップＳ０７において取得された用紙画像から文字または／および線画を検出する。文字または／および線画が検出されたならば、処理をステップＳ０９に進めるが、そうでなければ処理をステップＳ１１に進める。ステップＳ０９においては、用紙画像から文字または／および線画を抽出する。そして、抽出された文字または／および線画をテスト画像に配置し（ステップＳ１０）、処理をステップＳ１１に進める。テスト画像に、ステップＳ０９において抽出された文字または／および線画を、その用紙画像中の位置と同一の位置に配置する。
【０１０４】
次のステップＳ１１においては、ステップＳ０７において取得された用紙画像から下地領域を抽出する。そして、抽出された下地領域の色を検出し（ステップＳ１２）、処理をステップＳ１３に進める。
【０１０５】
ステップＳ１３においては、ステップＳ１２において検出された下地領域の色が白色であるか否かを判断する。下地領域の色が白色ならば、処理をステップＳ１７に進めるが、そうでなければ処理をステップＳ１４に進める。
【０１０６】
ステップＳ１４においては、ステップＳ０４において選択された印字用画像を取得する。印字用画像としてスタンプ画像が選択されたならば、ＥＥＰＲＯＭ１１５に記憶されたスタンプ画像９５を読み出し、印字用画像としてパターン画像が選択されたならばＥＥＰＲＯＭ１１５に記憶されたパターン画像９７を読み出す。
【０１０７】
次のステップＳ１５においては、ステップＳ１２において検出された下地領域の色と同色の色を、ステップＳ１４において取得された印字用画像に付した色付印字用画像を生成する。スタンプ画像９５が選択された場合にはスタンプ画像９５に色を付した色付スタンプ画像を色付印字用画像とし、パターン画像９７が選択された場合にはパターン画像９７に色を付すことにより色付パターン画像を色付印字用画像とする。次のステップＳ１６においては、テスト画像に、ステップＳ１５において生成された色付印字用画像を、ステップＳ１１において抽出された下地領域と同じ位置に配置し、処理をステップＳ１７に進める。
【０１０８】
ステップＳ１７においては、生成されたテスト画像を、ステップＳ０３において選択された給紙カセットのカセット識別情報と関連付けてＥＥＰＲＯＭ１１５に記憶する。ここでは、テスト画像と、カセット識別情報とテスト画像の画像識別情報とを含む関連付データとをＥＥＰＲＯＭ１１５に記憶する。
【０１０９】
図１５および図１６は、テストプリント実行処理の流れの一例を示すフローチャートである。テストプリント実行処理は、ＣＰＵ１１１がＲＯＭ１０３またはＥＥＰＲＯＭ１１５に記憶された画像形成プログラムを実行することにより、ＣＰＵ１１１により実行される処理である。
【０１１０】
図１５および図１６を参照して、ＣＰＵ１１１は、プリントデータを受信したか否かを判断する（ステップＳ２１）。ネットワークＩ／Ｆ１１８がＰＣ等からプリントデータを受信したならば、処理をステップＳ２２に進めるが、そうでなければ処理をステップＳ３７に進める。
【０１１１】
ステップＳ２２においては、給紙するための用紙を供給する給紙カセットを決定する。給紙カセット４１，４２，４３のうちから受信されたプリントデータによって定められる給紙カセットに決定する。ここでは、給紙カセット４１が決定される場合を例に説明する。
【０１１２】
ステップＳ２３においては、ステップＳ２１において受信されたプリントデータの画像形成を開始する。具体的には、給紙部４０を制御して、給紙カセット４１，４２，４３のうちステップＳ２２において決定された給紙カセット４１に収納された用紙を画像形成部３０に供給させ、画像形成部３０にプリントデータを出力して、プリントデータの画像を、給紙部４０から供給される用紙に形成させる。
【０１１３】
次のステップＳ２４においては、ステップＳ２２において決定された給紙カセット４１に用紙が収納されているか否かを判断する。用紙残量センサ４７の出力に基づいて判断する。給紙カセット４１に用紙が収納されていれば、処理をステップＳ３６に進めるが、給紙カセット４１に用紙が収納されていなければ処理をステップＳ２５に進める。
【０１１４】
ステップＳ２５においては、ステップＳ２２において開始した画像形成を中断する。そして、ステップＳ２２おいて決定された給紙カセット４１が、開状態か否かを検出する（ステップＳ２６）。開閉センサ４４から開状態を示す状態信号が入力されると、給紙カセット４１が、開状態と判断する。開閉センサ４４から開状態を示す状態信号が入力されるまで待機状態となり、開閉センサ４４から開状態を示す状態信号が入力されたならば、処理をステップＳ２７に進める。
【０１１５】
ステップＳ２７においては、ステップＳ２２おいて決定された給紙カセット４１が、閉状態か否かを検出する。開閉センサ４４から閉状態を示す状態信号が入力されると、給紙カセット４１が閉状態と判断する。開閉センサ４４から閉状態を示す状態信号が入力されるまで待機状態となり、開閉センサ４４から閉状態を示す状態信号が入力されたならば、処理をステップＳ２８に進める。
【０１１６】
ステップＳ２８においては、ステップＳ２４と同様に、ステップＳ２２において決定された給紙カセット４１に用紙が収納されているか否かを判断する。給紙カセット４１に用紙が収納されていれば、処理をステップＳ２９に進めるが、給紙カセット４１に用紙が収納されていなければ処理をステップＳ２６に戻す。
【０１１７】
ステップＳ２９においては、ステップＳ２２において決定された給紙カセットに関連付けられたテスト画像が存在するか否かを判断する。ステップＳ２２において決定された給紙カセット４１のカセット識別情報を含む関連付データがＥＥＰＲＯＭ１１５に記憶されているか否かを判断する。給紙カセット４１のカセット識別情報を含む関連付データがＥＥＰＲＯＭ１１５に記憶されているならば、処理をステップＳ３０に進めるが、そうでなければ処理をステップＳ３４に進める。
【０１１８】
ステップＳ３０においては、テスト画像を取得する。ステップＳ２２において決定された給紙カセット４１のカセット識別情報と関連付データによって関連付けられたテスト画像をＥＥＰＲＯＭ１１５から読み出すことにより、テスト画像を取得する。そして、取得されたテスト画像を用いてテストプリントを実行する（ステップＳ３１）。具体的には、給紙部４０を制御して、ステップＳ２２において決定された給紙カセット４１に収納された用紙を画像形成部３０に供給させ、画像形成部３０を制御して、テスト画像を用紙に形成させる。
【０１１９】
次のステップＳ３２においては、確認画面を表示部１０３に表示する。ステップＳ３３においては、確認指示を受け付けたか否かを判断する。確認指示を受け付けたならば処理をステップＳ３４に進めるが、そうでなければ処理をステップＳ３５に進める。ステップＳ３５においては、ステップＳ２６と同様に、ステップＳ２２おいて決定された給紙カセット４１が開状態か否かを検出する。開閉センサ４４から開状態を示す状態信号が入力されると処理をステップＳ２７に戻すが、そうでなければ処理をステップＳ３３に戻す。
【０１２０】
ステップＳ３４においては、ステップＳ２５において中断した画像形成を再開する。次のステップＳ３６においては、ステップＳ２１において受信されたプリントデータの画像形成が終了したか否かを判断する。プリントデータの画像形成が終了したならばテストプリント実行処理を終了するが、そうでなければ処理をステップＳ２４に戻す。
【０１２１】
一方、処理がステップＳ３７に進む場合は、プリントデータが受信されない場合である。ステップＳ３７においては、給紙カセット４１，４２，４３のいずれかが開状態か否かを検出する。開閉センサ４４，４５，４６のいずれかから開状態を示す状態信号が入力されたか否かを判断する。給紙カセット４１，４２，４３のいずれかが開状態であることを検出したならば処理をステップＳ３８に進めるが、そうでなければ処理をステップＳ２１に戻す。ここでは、開閉センサ４５から開状態を示す状態信号が入力され、給紙カセット４２の開状態が検出された場合を例に説明する。
【０１２２】
ステップＳ３８においては、ステップＳ３７において開状態が検出された給紙カセット４２が閉状態か否かを検出する。開閉センサ４５から閉状態を示す状態信号が入力されると、給紙カセット４２が閉状態と判断する。開閉センサ４５から閉状態を示す状態信号が入力されると処理をステップＳ３９に進めるが、そうでなければ処理をステップＳ３８に戻す。
【０１２３】
ステップＳ３９においては、ステップＳ３８において閉状態が検出された給紙カセット４２に用紙が収納されているか否かを判断する。用紙残量センサ４８の出力に基づき判断する。給紙カセット４２に用紙が収納されていれば処理をステップＳ４０に進めるが、給紙カセット４２に用紙が収納されていなければ処理をステップＳ３７に戻す。
【０１２４】
ステップＳ４０においては、ステップＳ３８において閉状態が検出された給紙カセットに関連付けられたテスト画像が存在するか否かを判断する。ステップＳ３８において閉状態が検出された給紙カセット４２のカセット識別情報を含む関連付データがＥＥＰＲＯＭ１１５に記憶されているか否かを判断する。給紙カセット４２のカセット識別情報を含む関連付データがＥＥＰＲＯＭ１１５に記憶されているならば、処理をステップＳ４１に進めるが、そうでなければ処理をステップＳ２１に戻す。
【０１２５】
ステップＳ４１においては、テスト画像を取得する。ステップＳ３８において閉状態が検出された給紙カセット４２のカセット識別情報と関連付データによって関連付けられたテスト画像をＥＥＰＲＯＭ１１５から読み出すことにより、テスト画像を取得する。そして、取得されたテスト画像を用いてテストプリントを実行する（ステップＳ４２）。具体的には、給紙部４０を制御して、ステップＳ３８において閉状態が検出された給紙カセット４２に収納された用紙を画像形成部３０に供給させ、画像形成部３０を制御して、ステップＳ４３において取得されたテスト画像を用紙に形成させる。
【０１２６】
次のステップＳ４３においては、確認画面を表示部１０３に表示する。そして、確認指示を受け付けたか否かを判断する（ステップＳ４４）。確認指示を受け付けたならば処理をステップＳ２１に戻すが、そうでなければ処理をステップＳ４５に進める。ステップＳ４５においては、ステップＳ４０と同様に、ステップＳ３８において閉状態が検出された給紙カセット４２が開状態か否かを検出する。開閉センサ４５から開状態を示す状態信号が入力されると処理をステップＳ３８に戻すが、そうでなければ処理をステップＳ４４に戻す。
【０１２７】
以上説明したように、本実施の形態におけるＭＦＰ１は、原稿読取部２０が給紙カセット４１〜４３のうちユーザにより指定されたものに収納される用紙を読み取って出力する用紙画像からテスト画像を生成する。このテスト画像は給紙カセット４１〜４３のうちユーザにより指定されたものに収納される用紙に記録された文字および／または線画または下地の色の特徴を含む。このため、テスト画像が形成された用紙を見るユーザは、テスト画像の色または方向と用紙の色または方向との異同から用紙が正しくカセットに収納されているか否かを判断することができる。また、給紙カセット４１〜４３のいずれかの開閉が検出されることに応じて、給紙カセット４１〜４３のうち開閉が検出されたものに収納された用紙にテスト画像が形成されるので、給紙カセット４１〜４３のいずれかに用紙が収納される際に、用紙が正しく収納されているか否かを通知することができる。
【０１２８】
また、テスト画像は、用紙に記録された文字または／および線画と同じ方向の文字または／および線画を、用紙に形成される位置と同じ位置に含むので、テスト画像が形成された用紙を見るユーザは、テスト画像の方向と用紙の方向との異同を視認することができる。さらに、用紙の方向がテスト画像の方向と異なる場合には、テスト画像が用紙に記録されている文字または／および線画とずれて形成されるので、方向が異なっていることをユーザは直ちに視認することができる。
【０１２９】
また、テスト画像が形成された用紙は、収納した用紙に記録されている画像と同じ色の画像が形成されるので、用紙の収納方向が正しい場合には、ユーザは、テスト画像が用紙に形成されていることを視認するのが困難である。このため、用紙が正しく収納されていることをユーザに通知することができる。
【０１３０】
さらに、用紙画像の下地の色が検出され、スタンプ画像または／およびパターン画像を、検出された色を付して配置したテスト画像が生成されるので、テスト画像は、用紙の下地の色と同じ色のスタンプ画像または／およびパターン画像を含む。このため、テスト画像が形成された用紙を見るユーザは、テスト画像に含まれるスタンプ画像または／およびパターン画像の色と用紙の色との異同を視認することができ、収納されている用紙の種類が異なっていることをユーザに通知することができる。
【０１３１】
さらに、スタンプ画像は１つの方向を有し、スタンプ画像が用紙画像の方向と同じ方向でテスト画像に配置されるので、用紙の方向がスタンプ画像の方向と異なる場合には、方向が異なっていることを通知することができる。
【０１３２】
また、プリントデータの画像形成中に、画像形成を中断し、テストプリントを実行した後は、ユーザが確認画面に含まれる確認ボタンを押下する操作が受け付けられなければ、プリントデータの画像形成を再開しないので、用紙が正しく収納される前に、プリントデータの画像形成が再開されて、用紙が無駄に消費されるのを防止することができる。
【０１３３】
なお、上述した実施の形態においては、画像形成装置の一例としてＭＦＰ１について説明したが、図１４〜図１６に示した処理をＭＦＰ１に実行させるための画像形成方法、およびその画像形成方法をＭＦＰ１を制御するＣＰＵ１１１に実行させるための画像形成プログラムとして発明を捉えることができるのは言うまでもない。
【０１３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３５】
１  ＭＦＰ、１０  ＡＤＦ、１１  原稿給紙トレイ、１２  原稿排紙トレイ、１３  操作パネル、２０  原稿読取部、３０  画像形成部、３１，３３，３５，３７  現像ユニット、３９  転写ベルト、４０  給紙部、４１，４２，４３  給紙カセット、４４，４５，４６  開閉センサ、４７，４８，４９  用紙残量センサ、５１  操作受付部、５３  読取制御部、５５  テスト画像生成部、５７  プリントデータ受信部、５９  用紙残量検出部、６１  開閉検出部、６３  画像形成制御部、６５  テストプリント実行部、７１  文字線画抽出部、７３  下地領域抽出部、７５  下地色検出部、７７  配置部、８１  関連付部、９１  テスト画像、９５  スタンプ画像、９７  パターン画像、１０１  メイン回路、１０３  表示部、１０５  操作部、１１１  ＣＰＵ、１１２  通信Ｉ／Ｆ、１１３  ＲＯＭ、１１４  ＲＡＭ、１１５  ＥＥＰＲＯＭ、１１６  ＨＤＤ、１１７  ファクシミリ部、１１８  ネットワークＩ／Ｆ、１１９  外部記憶装置、１１９Ａ  ＣＤ−ＲＯＭ。
【図１】
2012003199.tif 000003
【図２】
2012003199.tif 000004
【図３】
2012003199.tif 000005
【図４】
2012003199.tif 000006
【図５】
2012003199.tif 000007
【図６】
2012003199.tif 000008
【図７】
2012003199.tif 000009
【図８】
2012003199.tif 000010
【図９】
2012003199.tif 000011
【図１０】
2012003199.tif 000012
【図１１】
2012003199.tif 000013
【図１２】
2012003199.tif 000014
【図１３】
2012003199.tif 000015
【図１４】
2012003199.tif 000016
【図１５】
2012003199.tif 000017
【図１６】
2012003199.tif 000018